(57)【特許請求の範囲】
【請求項１】
容器部とこの容器部に係脱自在に係合する蓋部とからなる器体と、哺乳瓶の乳首装着用のねじキャップを載置するために上記器体内に設けられた載置部とを備え、上記器体に、哺乳瓶本体の口部を着脱自在に取り付ける開口部が形成されているとともに、蒸気開放孔が形成されていることを特徴とする哺乳瓶消毒器。
【請求項２】
上記開口部が蓋部に形成されている請求項１記載の哺乳瓶消毒器。
【請求項３】
上記蓋部および容器部の端部にそれぞれ半筒状部が形成され、上記蓋部および容器部の係合時に両半筒状部が合致して筒状の開口部を形成し、この筒状の開口部に哺乳瓶本体の口部が着脱自在に取り付けられる請求項１記載の哺乳瓶消毒器。
【請求項４】
上記載置部が容器部の内部で段部に形成され、上記開口部が容器部の胴部に形成されている請求項１記載の哺乳瓶消毒器。
【請求項５】
上記開口部が上記段部よりも下側に位置決めされている請求項４記載の哺乳瓶消毒器。
【請求項６】
上記蓋部と容器部とが開閉自在にヒンジにより結合している請求項１〜５のいずれか一項に記載の哺乳瓶消毒器。
【請求項７】
上記開口部を斜め上方に向けるように器体を固定する台部が上記容器部に設けられている請求項１〜６のいずれか一項に記載の哺乳瓶消毒器。
【発明の詳細な説明】
【０００１】
【発明の属する技術分野】
本発明は、哺乳瓶の消毒に用いる哺乳瓶消毒器に関するものである。
【０００２】
【従来の技術】
従来より、哺乳瓶等を消毒する際には、煮沸消毒が行われていた。しかしながら、煮沸消毒では、湯を沸かすことが必要となるため、最近では、電子レンジを用いて、水蒸気の熱により消毒する蒸気消毒がしばしば行われている。
【０００３】
そこで、このような蒸気消毒が簡単にできる哺乳瓶が実開平４−１３６２３０号公報に提案されている。このものは、図１１および図１２に示すように、乳首９７と、この乳首９７が着脱自在に装着される乳首装着穴９９を有するねじキャップ９８と、上記乳首９７を覆うように上記ねじキャップ９８に着脱自在に装着されるフード９１と、上記ねじキャップ９８がその口部９６に着脱自在に螺着する哺乳瓶本体９５と、蒸気開放孔８３を有し上記ねじキャップ９８の乳首装着穴９９に着脱自在に装着される消毒用蓋８４とを備えた哺乳瓶である。
【０００４】
そして、蒸気消毒する際には、まず、哺乳瓶本体９５からねじキャップ９８を取り外し、このねじキャップ９８から乳首９７を取り外す。ついで、上記乳首９７やピンセット９２等とともに少量の水Ｗを哺乳瓶本体９５内に入れる。つぎに、哺乳瓶本体９５にねじキャップ９８を螺着し、ねじキャップ９８の乳首装着穴９９に消毒用蓋８４を装着したのち、電子レンジにかけ加熱する。このようにして、哺乳瓶を蒸気消毒する。消毒後は、ねじキャップ９８を取り外し、哺乳瓶本体９５内から、まず、ピンセット９２を取り出し、ついで、このピンセット９２を用いて乳首９７等を取り出す。
【０００５】
上記のようにして電子レンジにかけると、哺乳瓶本体９５内に入れた水Ｗが水蒸気になり、この水蒸気の熱により、哺乳瓶本体９５の内面，乳首９７，ピンセット９２等が蒸気消毒される。そして、上記水蒸気は、消毒用蓋８４の蒸気開放孔８３を通り、哺乳瓶本体９５外に排出される。
【０００６】
【発明が解決しようとする課題】
しかしながら、上記従来の技術では、乳首９７やピンセット９２等を哺乳瓶本体９５内に入れて消毒するため、消毒後にこれらを取り出すことが困難となる。また、ねじキャップ９８の内面のねじ部は、哺乳瓶本体９５の口部９６と螺合しており、ねじキャップ９８の乳首装着穴９９には、消毒用蓋８４が装着されている。これらのため、上記ねじ部および乳首装着穴９９は、水蒸気に触れない。また、水蒸気は、哺乳瓶本体９５内で発生するため、ねじキャップ９８の外面も、水蒸気に触れない。したがって、ねじキャップ９８は、水蒸気により消毒されない。
【０００７】
本発明は、このような事情に鑑みなされたもので、簡単に哺乳瓶本体の内面，乳首，ねじキャップを消毒することができるとともに、消毒後に消毒した乳首，ねじキャップを簡単に取り出すことができる哺乳瓶消毒器の提供をその目的とする。
【０００８】
【課題を解決するための手段】
上記の目的を達成するため、本発明の哺乳瓶消毒器は、容器部とこの容器部に係脱自在に係合する蓋部とからなる器体と、哺乳瓶の乳首装着用のねじキャップを載置するために上記器体内に設けられた載置部とを備え、上記器体に、哺乳瓶本体の口部を着脱自在に取り付ける開口部が形成されているとともに、蒸気開放孔が形成されているという構成をとる。
【０００９】
すなわち、本発明の哺乳瓶消毒器は、容器部とこの容器部に係脱自在に係合する蓋部とからなる器体と、哺乳瓶の乳首装着用のねじキャップを載置するために上記器体内に設けられた載置部とを備え、上記器体に、哺乳瓶本体の口部を着脱自在に取り付ける開口部が形成されているとともに、蒸気開放孔が形成されている。このため、消毒は、まず、器体を蓋部と容器部とに分け、ついで、ねじキャップを乳首が装着された状態で哺乳瓶本体から取り外して載置部に載置するとともに、容器部内に少量の水を入れ、つぎに、哺乳瓶本体の口部を蓋部の開口部に取り付け、その状態で容器部に蓋部を係合させたのち、電子レンジにかけ加熱することにより行うことができる。そして、消毒後は、器体を蓋部と容器部とに分け、乳首付きねじキャップを載置部から取り、蓋部の開口部から哺乳瓶本体の口部を取り外す。したがって、上記哺乳瓶消毒器では、消毒前には、乳首が装着されたねじキャップを簡単に器体内の載置部に載置することができ、消毒後には、それを簡単に器体内の載置部から取ることができる。また、上記載置部は、上記器体内に設けられているため、ねじキャップを消毒することができる。さらに、上記容器部には、台部が設けられているため、哺乳瓶本体の口部を蓋部の開口部に取り付けた状態で容器部に蓋部を係合させても、哺乳瓶消毒器を安定させることができる。なお、本発明において、「蒸気開放孔」とは、単なる孔だけてなく、弁が設けられた孔も含む意味である。
【００１０】
【発明の実施の形態】
つぎに、本発明の実施の形態を図面にもとづいて詳しく説明する。
【００１１】
図１および図２は、本発明の哺乳瓶消毒器の第１の実施の形態を示している。この実施の形態において、消毒する哺乳瓶は、哺乳瓶本体１５と、この哺乳瓶本体１５の口部１６に着脱自在に螺着し乳首１７が装着されたねじキャップ１８とからなっている。そして、その哺乳瓶を消毒する哺乳瓶消毒器は、蒸気開放孔３が形成され哺乳瓶本体１５の口部１６を着脱自在に螺着する器体１と、乳首１７が装着されたねじキャップ１８を載置するために上記器体１内に設けられた載置台（載置部）２とを備えている。
【００１２】
上記器体１は、哺乳瓶本体１５の口部１６を着脱自在に螺着する円筒状の開口部７が形成された蓋部４と、この蓋部４に係脱自在に係合する容器部５と、この容器部５に一体的に設けられた台部６とからなっている。
【００１３】
さらに詳しく説明すると、上記蓋部４は、底面のない略円錐台状をしており、その側壁に上記開口部７が斜め上向きに形成され、その頂面に吊り下げ用穴８ａが形成された吊り下げ部８が設けられているとともに、上記蒸気開放孔３が形成されている。また、蓋部４の底部の外周面には、後述する容器部５の条溝１１と係合するための突条９が周設され、その上部にフランジ部１０が突設されている。さらに、上記円筒状の開口部７の内周面は、哺乳瓶本体１５の口部１６を螺着するために螺刻されている。
【００１４】
また、上記容器部５は、有底円筒状をしており、その上部開口の内周面には、上記蓋部４の突条９と係合する条溝１１が周設されている。
【００１５】
また、上記台部６は、一方向に水平に長く二股状に形成されている。
【００１６】
また、上記載置台２は、図３に示すように、板体２ａが放射状に４方向へ延びた形状をしており、水平断面が十字状になり、側面視が段部２ｂを有する山形になっている。そして、その段部２ｂの上面には、図１に示すように、上記乳首１７の下端面が当接するようになっている。また、上記載置台２は、上記容器部５上に一体的に設けられている。
【００１７】
そして、蒸気消毒する際には、まず、器体１を蓋部４と容器部５とに分ける。ついで、ねじキャップ１８を乳首１７が装着された状態で哺乳瓶本体１５から取り外し、その乳首１７付きねじキャップ１８を載置台２に載置するとともに、容器部５内に少量の水Ｗを入れる。つぎに、哺乳瓶本体１５の口部１６を蓋部４の開口部７に螺着し、その状態で容器部５に蓋部４を係合させたのち、電子レンジにかけ加熱する。このとき、哺乳瓶本体１５の位置する方向と台部６の位置する方向とが一致するように、蓋部４と容器部５とを相対的に回して調整する。このようにして、哺乳瓶本体１５の内面，乳首１７，ねじキャップ１８を蒸気消毒する。消毒後は、器体１を蓋部４と容器部５とに分け、乳首１７付きねじキャップ１８を載置台２から取り、蓋部４の開口部７から哺乳瓶本体１５の口部１６を取り外す。
【００１８】
上記のようにして電子レンジにかけ加熱すると、容器部５内に入れた水Ｗが水蒸気になり、この水蒸気が哺乳瓶本体１５内および哺乳瓶消毒器内に充満する。そして、その水蒸気の熱により、哺乳瓶本体１５の内面，乳首１７，ねじキャップ１８が蒸気消毒される。特に、乳首１７およびねじキャップ１８の内面には、載置台２の十字状部分と乳首１７およびねじキャップ１８の内面との間の空間を通って、水蒸気が供給される。そして、上記水蒸気は、器体１の蒸気開放孔３を通り、哺乳瓶本体１５内および哺乳瓶消毒器内からなる空間の外に排出される。
【００１９】
このように、上記第１の実施の形態によれば、器体１が哺乳瓶本体１５の口部１６に着脱自在に螺着され、器体１の蓋部４と容器部５とが係脱自在であり、乳首１７が装着されたねじキャップ１８を載置する載置台２が器体１内に備えられている。このため、消毒前には、乳首１７が装着されたねじキャップ１８を簡単に器体１内の載置台２に載置することができ、消毒後には、それを簡単に器体１内の載置台２から取ることができる。
【００２０】
特に、上記載置台２は、水平断面が十字状になっているため、水蒸気は、その十字状部分と乳首１７およびねじキャップ１８の内面との間の空間を通って、その乳首１７およびねじキャップ１８の内面に供給される。したがって、ねじキャップ１８の外面だけでなく内面をも消毒することができる。
【００２１】
また、消毒する際には、哺乳瓶本体１５の位置する方向と台部６の位置する方向とが一致しているため、哺乳瓶本体１５の口部１６を蓋部４の開口部７に取り付けた状態で容器部５に蓋部４を係合させても、哺乳瓶消毒器を水平に安定させることができる。さらに、哺乳瓶本体１５の口部１６を螺着する開口部７が斜め上向きに形成されているため、軽い水蒸気は、哺乳瓶本体１５の底部（奥）まで供給されやすくなり、底部の消毒が充分に行われる。
【００２２】
そして、蓋部４には、吊り下げ部８が設けられているため、器体１および載置台２を使用後や洗浄後等に吊るして乾燥させることができる。
【００２３】
図４および図５は、本発明の哺乳瓶消毒器の第２の実施の形態を示している。この実施の形態では、器体２１は、蓋部２４と容器部２５とが開閉自在にヒンジ２８により結合しており、蒸気開放孔２３が容器部２５に形成されている。それ以外の部分は、形状は異なるものの、上記第１の実施の形態と同様であり、同様な部分には同じ符号を付している。
【００２４】
すなわち、上記蓋部２４は、水平板部２４ａと、この水平板部２４ａの後端縁に一体的に形成された傾斜板部２４ｂとを備え、この傾斜板部２４ｂに上記第１の実施の形態と同様の開口部７が斜め上向きに形成されている。さらに、蓋部２４の左右側縁には、フランジ３０が下方に形成されている。また、上記ヒンジ２８は、蓋部２４の前端部（水平板部２４ａのうち、傾斜板部２４ｂの反対側）の両側部に形成され、後述する容器部２５の左右側壁面の内側に位置している。さらに、蓋部２４の下端部（傾斜板部２４ｂのうち、水平板部２４ａの反対側）３１には、後述する容器部２５の支受部３２に係合自在に係合する係止爪（図示せず）が設けられている。
【００２５】
また、上記容器部２５は、上記蓋部２４に対応する上壁面と後部側壁面の上部とがない箱状をしており、その後部側壁面の後方には、上記蓋部２４の係止爪が係合自在に係合する支受部３２が形成されており、左右側壁面の内側には、ヒンジ２８の回転中心に対応する位置に回転軸２９が形成されている。また、容器部２５の前部側壁面の上部には、蒸気開放孔２３が形成されている。
【００２６】
また、台部２６は、上記容器部２５に一体的に設けられ、上記哺乳瓶本体１５の口部１６を螺着する開口部７が位置する方向（後方）に水平に長く形成されている。
【００２７】
そして、蒸気消毒する際には、まず、器体２１の蓋部２４を開ける。ついで、ねじキャップ１８を乳首１７が装着された状態で哺乳瓶本体１５から取り外し、その乳首１７付きねじキャップ１８を載置台２に載置するとともに、容器部２５内に少量の水Ｗを入れる。つぎに、哺乳瓶本体１５の口部１６を蓋部２４の開口部７に螺着し、その状態で容器部２５を蓋部２４で蓋したのち、電子レンジにかけ加熱する。このようにして、哺乳瓶本体１５の内面，乳首１７，ねじキャップ１８を蒸気消毒する。消毒後は、器体２１の蓋部２４を開け、乳首１７付きねじキャップ１８を載置台２から取り、蓋部２４の開口部７から哺乳瓶本体１５の口部１６を取り外す。
【００２８】
そして、上記第１の実施の形態と同様な作用・効果を奏する。
【００２９】
図６は、本発明の哺乳瓶消毒器の第３の実施の形態を示している。この実施の形態では、器体４１は、蓋部４４と、この蓋部４４に係脱自在に係合する容器部４５とからなり、上記蓋部４４と容器部４５との係合により哺乳瓶本体１５の口部１６を着脱自在に螺着する円筒状の開口部４７が形成される。それ以外の部分は、形状は異なるものの、上記第１の実施の形態と同様であり、同様な部分には同じ符号を付している。
【００３０】
さらに詳しく説明すると、上記蓋部４４は、ドーム状をしており、その後部に開口面を下方にした半円筒状部４７ａが形成されている。この半円筒状部４７ａは、蓋部４４と容器部４５とが係合した際に、後述する容器部４５の半円筒状部４７ｂと合致し、上記開口部４７を形成するものである。そして、上記半円筒状部４７ａの内周面は、哺乳瓶本体１５の口部１６を螺着するために螺刻されている。さらに、蓋部４４の下端開口縁には、後述する容器部４５の突条５１に係合する係合部４９が周設されており、蓋部４４の頂面には、蒸気開放孔４３が形成されている。
【００３１】
また、上記容器部４５は、有底円筒状をしており、その後部に開口面を上方にした半円筒状部４７ｂが形成されている。この半円筒状部４７ｂは、蓋部４４と容器部４５とが係合した際に、上記蓋部４４の半円筒状部４７ａと合致し、上記開口部４７を形成するものである。そして、上記半円筒状部４７ｂの内周面は、哺乳瓶本体１５の口部１６を螺着するために螺刻されている。さらに、容器部４５の上部開口の外周部には、上記蓋部４４の係合部４９に係合する突条５１が周設されている。
【００３２】
そして、蒸気消毒する際には、まず、器体４１を蓋部４４と容器部４５とに分ける。ついで、ねじキャップ１８を乳首１７が装着された状態で哺乳瓶本体１５から取り外し、その乳首１７付きねじキャップ１８を載置台２に載置するとともに、容器部４５内に少量の水Ｗを入れる。つぎに、容器部４５と蓋部４４とを係合させ、形成された器体４１の開口部４７に哺乳瓶本体１５の口部１６を螺着したのち、電子レンジにかけ加熱する。このとき、哺乳瓶消毒器および哺乳瓶本体１５は、図６のように、傾いた状態となる。このようにして、哺乳瓶本体１５の内面，乳首１７，ねじキャップ１８を蒸気消毒する。消毒後は、器体４１を蓋部４４と容器部４５とに分け、器体４１の開口部４７から哺乳瓶本体１５の口部１６を取り外し、乳首１７付きねじキャップ１８を載置台２から取る。
【００３３】
そして、上記第１の実施の形態と同様な作用・効果を奏する。
【００３４】
図７〜図９は、本発明の哺乳瓶消毒器の第４の実施の形態を示している。この実施の形態では、器体６１は、哺乳瓶本体１５の口部１６を着脱自在に螺着する円筒状の開口部６７が形成されている容器部６５と、この容器部６５に係脱自在に係合する蓋部６４とからなっている。それ以外の部分は、形状は異なるものの、上記第１の実施の形態と同様であり、同様な部分には同じ符号を付している。
【００３５】
さらに詳しく説明すると、上記容器部６５は、段部６６が形成された有底筒状をしており、その段部６６よりも下側の側壁（胴部）に、哺乳瓶本体１５の口部１６を着脱自在に螺着する上記円筒状の開口部６７が形成されている。そして、開口部６７の内周面は、上記螺着が可能となるように螺刻されている。また、上記容器部６５の高さ方向に垂直な断面の形状は、上記段部６６よりも上側では円形であり、それよりも下側では略長方形となっている。そして、上記円形の内径は、上記ねじキャップ１８の外径よりも大きくなっており、上記略長方形の縦の長さは、ねじキャップ１８の外径および乳首１７付きねじキャップ１８の高さよりも短く、その横の長さは、ねじキャップ１８の外径よりも長くなっている。このため、乳首１７付きねじキャップ１８は、上記段部６６よりも下側の空間に落ちないようになっているとともに、上記段部６６に乳首１７付きねじキャップ１８が載置されても、段部６６よりも下側の空間と上側の空間とが連通するように、連通部６８が形成されるようになっている。また、上記容器部６５の上部開口の外周面には、後述する蓋部６４の係合部６９に係合する突条７１が周設されている。
【００３６】
また、上記蓋部６４は、ドーム状をしており、その頂面には、蒸気開放孔６３が形成され、下端開口縁には、上記容器部６５の突条７１に係合する係合部６９が周設されている。
【００３７】
そして、蒸気消毒する際には、まず、ねじキャップ１８を乳首１７が装着された状態で哺乳瓶本体１５から取り外し、哺乳瓶本体１５の口部１６を哺乳瓶消毒器の容器部６５の開口部６７に螺着する。ついで、哺乳瓶消毒器を蓋部６４と容器部６５とに分け、容器部６５の底部に少量の水Ｗを入れたのち、乳首１７付きねじキャップ１８を上向きにして段部６６に載置する。つぎに、容器部６５に蓋部６４を係合させたのち、電子レンジにかけ加熱する。このとき、哺乳瓶消毒器および哺乳瓶本体１５は、図７のように、傾いた状態となる。このようにして、哺乳瓶本体１５の内面，乳首１７，ねじキャップ１８を蒸気消毒する。消毒後は、哺乳瓶消毒器を蓋部６４と容器部６５とに分け、乳首１７付きねじキャップ１８を段部６６から取り、容器部６５の開口部６７から哺乳瓶本体１５の口部１６を取り外す。
【００３８】
上記のようにして電子レンジにかけ加熱すると、容器部６５の底部に入れた水Ｗが水蒸気になり、この水蒸気が哺乳瓶本体１５内および哺乳瓶消毒器内に充満する。そして、その水蒸気の熱により、哺乳瓶本体１５の内面，乳首１７，ねじキャップ１８が蒸気消毒される。特に、乳首１７およびねじキャップ１８の内面には、段部６６よりも下側の空間から直接水蒸気が供給され、その外面には、段部６６よりも下側の空間から上記連通部６８を通って水蒸気が供給される。そして、上記水蒸気は、蓋部６４の蒸気開放孔６３を通り、哺乳瓶本体１５内および哺乳瓶消毒器内からなる空間の外に排出される。
【００３９】
そして、上記第１の実施の形態と同様な作用・効果を奏する。
【００４０】
図１０は、本発明の哺乳瓶消毒器の第５の実施の形態を示している。この実施の形態では、上記第４の実施の形態における段部６６（図７参照）に代えて、上記第１の実施の形態における載置台２が容器部７５の底部に一体的に形成されている。それ以外の部分は、形状は異なるものの、上記第４の実施の形態と同様であり、同様の部分には、同じ符号を付している。
【００４１】
そして、蒸気消毒する際には、乳首１７付きねじキャップ１８を載置台２に載置する以外は、上記第４の実施の形態と同様である。また、上記第４の実施の形態と同様な作用・効果を奏する。
【００４２】
なお、上記器体１，２１，４１，６１や載置台２等の材質は、電子レンジの熱に対して耐え、有害物質を出したり、変形したり等しないものであれば、特に限定するものではない。
【００４３】
また、上記各実施の形態では、哺乳瓶本体１５の口部１６を器体１，２１，４１，６１の開口部７，４７，６７に螺着したが、これに限定されるものではなく、哺乳瓶本体１５の口部１６を器体１，２１，４１，６１の開口部７，４７，６７に嵌入したり、係止したり等してもよい。このような場合には、それらが可能となるように、開口部７，４７，６７の内周面をテーパー状にしたり、開口部７，４７，６７の内周面に係止条を形成したり等する。
【００４４】
また、上記各実施の形態では、載置台２を板体２ａが放射状に４方向へ延びた形状のものとしたが、これに限定されるものではなく、載置台２に乳首１７付きねじキャップ１８を載置した際に、水蒸気が通る空間が形成されればよい。すなわち、載置台２を、板体２ａが放射状に均等に３方向へ延びた形状のもの、角錐の各側面を内側に湾曲させたもの等としてもよい。
【００４５】
また、上記第３〜第５の実施の形態では、水蒸気となる少量の水Ｗを容器部４５，６５，７５内に入れたが、哺乳瓶本体１５内に入れてもよい。
【００４６】
また、上記第３〜第５の実施の形態においても、第１および第２の実施の形態と同様に、開口部４７，６７を斜め上向きに形成し、容器部４５，６５，７５に図１および図４に示すような台部６，２６を設けてもよい。
【００４７】
【発明の効果】
以上のように、本発明の哺乳瓶消毒器によれば、容器部とこの容器部に係脱自在に係合する蓋部とからなる器体と、哺乳瓶の乳首装着用のねじキャップを載置するために上記器体内に設けられた載置部とを備え、上記器体に、哺乳瓶本体の口部を着脱自在に取り付ける開口部が形成されているとともに、蒸気開放孔が形成されている。このため、消毒は、まず、器体を蓋部と容器部とに分け、ついで、ねじキャップを乳首が装着された状態で哺乳瓶本体から取り外して載置部に載置するとともに、容器部内に少量の水を入れ、つぎに、哺乳瓶本体の口部を蓋部の開口部に取り付け、その状態で容器部に蓋部を係合させたのち、電子レンジにかけ加熱することにより行うことができる。そして、消毒後は、器体を蓋部と容器部とに分け、乳首付きねじキャップを載置部から取り、蓋部の開口部から哺乳瓶本体の口部を取り外す。したがって、上記第１の哺乳瓶消毒器では、消毒前には、乳首が装着されたねじキャップを簡単に器体内の載置部に載置することができ、消毒後には、それを簡単に器体内の載置部から取ることができる。また、上記載置部は、上記器体内に設けられているため、ねじキャップを消毒することができる。さらに、上記容器部には、台部が設けられているため、哺乳瓶本体の口部を蓋部の開口部に取り付けた状態で容器部に蓋部を係合させても、哺乳瓶消毒器を安定させることができる。
【図面の簡単な説明】
【図１】本発明の第１の実施の形態の哺乳瓶消毒器に哺乳瓶本体を螺着させた状態を示す説明図である。
【図２】上記哺乳瓶消毒器を示す平面図である。
【図３】上記哺乳瓶消毒器の載置台を示す斜視図である。
【図４】本発明の第２の実施の形態の哺乳瓶消毒器に哺乳瓶本体を螺着させた状態を示す説明図である。
【図５】上記哺乳瓶消毒器を示す平面図である。
【図６】本発明の第３の実施の形態の哺乳瓶消毒器に哺乳瓶本体を螺着させた状態を示す説明図である。
【図７】本発明の第４の実施の形態の哺乳瓶消毒器に哺乳瓶本体を螺着させた状態を示す説明図である。
【図８】上記哺乳瓶消毒器を矢視Ａ方向から見た図である。
【図９】上記哺乳瓶消毒器を矢視Ｂ方向から見た図である。
【図１０】本発明の第５の実施の形態の哺乳瓶消毒器に哺乳瓶本体を螺着させた状態を示す説明図である。
【図１１】従来の哺乳瓶を示す説明図である。
【図１２】従来の哺乳瓶を示す説明図である。
【符号の説明】
１  器体
２  載置台
３  蒸気開放孔
４  蓋部
５  容器部
６  台部
７  開口部
１５  哺乳瓶本体
１６  口部
１７  乳首
１８  ねじキャップ
【図１】
0004212198.tif 000002
【図２】
0004212198.tif 000003
【図３】
0004212198.tif 000004
【図４】
0004212198.tif 000005
【図５】
0004212198.tif 000006
【図６】
0004212198.tif 000007
【図７】
0004212198.tif 000008
【図８】
0004212198.tif 000009
【図９】
0004212198.tif 000010
【図１０】
0004212198.tif 000011
【図１１】
0004212198.tif 000012
【図１２】
0004212198.tif 000013